(57)【特許請求の範囲】
【請求項１】
天井パネル、側壁パネル、床板パネルを有し、箱形の矩体構造を形成するシェルター本体と、シェルター本体の天井パネルと側壁パネルの外側にヒンジを介して揺動可能に配設される複数枚の可動パネルと、可動パネルの駆動手段を有するレーダー電波に対して秘匿性を備えたシェルター。
【請求項２】
可動パネルは、レーダー電波を反射、吸収する機能を有する請求項１記載のレーダー電波に対して秘匿性を備えたシェルター。
【請求項３】
可動パネルは、ハニカム構造を有する芯部材と、芯部材の両面を覆うフィルム材と、フィルム材のパネルの表面側に積層される高電気抵抗値を有する炭素繊維層と、炭素繊維層の上面にコーティングされるフェライト粒子層を備える請求項１又は２記載のレーダー電波に対して秘匿性を備えたシェルター。
【請求項４】
可動パネルは三角形の平面形状を有する請求項１記載のレーダー電波に対して秘匿性を備えたシェルター。
【請求項５】
可動パネルの縁部は湾曲面に形成される請求項１記載のレーダー電波に対して秘匿性を備えたシェルター。
【請求項６】
可動パネルの駆動手段は、回転するクランク軸と、クランク軸とパネルを連結するリンクアームを備える請求項１記載のレーダー電波に対して秘匿性を備えたシェルター。
【発明の詳細な説明】
【０００１】
【発明が属する技術分野】
本発明は、有事の際に使用する局地無線装置を収容するシェルターに関する。
【０００２】
【従来の技術】
図５に局地無線端局装置とシェルターの概要を示す。
シェルター１０は、箱形の外観を有し、内部に無線装置とそのオペレータを収容する。シェルター１０の外部に設置されるアンテナ２０は、ケーブル３０を介してシェルター１０内の無線装置に連結され、外部との無線交信を行なう。
有事の際、戦線の指揮に用いられる局地無線端局装置は、敵機の第一の攻撃目標の一つとされる。
【０００３】
局地無線端局装置用シェルターは、地上車両で現地に運搬されているので、軽量であり、運搬に耐える充分な強度と剛性を与えるため、一般的に金属表面板を持つハニカムパネルで作られている。
敵機の攻撃を避けるため、現地到着後、秘匿のためシェルターを布地、草木で覆う方法が採られるが、この方法は敵機からの視認は避けられても、シェルターを構成する金属パネルの面積が大きいため、電波の反射が大きく、敵機のレーダーに捕捉され、攻撃を受ける恐れが大きかった。
【０００４】
従来から、シェルターのレーダー電波に対する秘匿性（ステルス性）が研究されていて、ハニカムパネルの表面に電波吸収塗料（磁性粒体を樹脂に含有させた塗料など）を塗布する方法が最良とされているが、重量の制限などから塗布量に限界があり、満足できる吸収レベルには至らず秘匿効果の高い方法が望まれている。
アメリカを始めとする各国で、軍用機のステルス性が研究され、ステルス特性を持たせた軍用航空機が多種開発されてきたが、未だ確立された技術がないため、次々と新構想に基づく新型機が登場してくる現状にある。
【０００５】
軍用ステルス機の開発では、当初、電磁波吸収塗料に重点が置かれていたが、充分な効果が得られなかったため、現在ではレーダー反射面積（レーダー断面積：ＲＡＤＡＲ  ＣＲＯＳＳ  ＳＥＣＴＩＯＮ）を減少させることに重点が置かれていて、空気力学特性を犠牲にした多面形状の航空機が開発され、大きな効果を実証している。
Ｆ１１７戦闘機に代表される三角形の多面形状の立体の反射は、各面の反射方向がそれぞれ異なること、およびエンジン空気流路などに工夫が凝らされた結果、実に、０．０１ｍ2というレーダー反射面積の値を得ている。
更に、機体の姿勢を次々と変化させることによって、アンテナから発せられたレーダー電波を、再びアンテナに戻す機会と量を僅少とし、短時間の間に不連続に変化させて、攻撃の照準を不可能にしているので、極めて大きな効果を発揮している。
【０００６】
【発明が解決しようとする課題】
しかし、シェルターを多面形状で作ること、および運動させることは種々の理由から困難であり、満足な秘匿性を持ったシェルターは実現していない。
本発明が解決しようとする課題は、
１．レーダー反射面積を少くすること
２．敵機のレーダーによる攻撃の照準を不可能とすること
３．レーダー誘導ミサイルの照準を不可能とすること
を達成するシェルターを提供することである。
【０００７】
【課題を解決するための手段】
課題１．の、レーダー面積を少くする手段として、電波吸収材料の塗布などの手段では効果に限度があるため、本発明では、電波吸収材料適用に加えて、シェルターの形状を変える方法を追及した。
すなわち、シェルターの主要構造部材の外側に、電波を吸収する特性を持った複合材料製の電波吸収／反射パネルを重ねておき、敵機が来襲してレーダー電波の照射を受ける危険性が生じた場合、このパネルを展開、拡張して、電波の反射方向を変え、あるいは電波の反射を少なくして、敵機のレーダーでの捕捉を避けることとした。
パネルはレーダー断面積を極小とするため三角形を基本とした。
【０００８】
課題２．の、敵機の攻撃の照準を不可能とする手段として、パネルの展開、拡張を強力な作動装置をもって短時間に繰り返し行う構造を持たせて、敵機の来襲の間中、展開の度合い、拡張形状を時事刻々に変え、敵機の電波の反射をランダムに反射させることとしたので、敵機が反射電波を捕捉する機会は少なく、反射電波は極めて短時間で消滅するので、敵機のレーダースコープの画像が短時間消え、攻撃のための照準をすることが不可能となる。
また、シェルター近傍に、同形式の囮のシェルターを設置して、電波反射／吸収パネルを交互に、位相をずらせて展開／収納を繰り返すことによって、敵機の電波反射が乱れるので、攻撃照準を更に困難とすることができる。
【０００９】
電波反射／吸収パネルはアラミッド繊維などで強度を確保し、レーダーの半波長に切断した炭素繊維にアンテナ効果を発揮させ、最表面には磁性粒子を混入した塗料を塗布して、電波を吸収させ、反射を最低限に抑えている。
パネル端部での電波反射が大きいことが知られているが、本発明では、パネル端部に滑らかな曲面を持たせて、反射を減らしている。
【００１０】
【作用】
本発明では、航空機用ステルス技術を応用して、シェルターの外壁に電波反射／吸収する三角形を基本とするパネルを設置、格納し、必要に応じて、駆動装置で拡張使用することによって目的を達するものである。
【００１１】
【発明の実施の形態】
図１は本発明のレーダー電波に対して秘匿性を備えた局地無線装置用シェルターの構造を示す説明図である。
全体を符号１００で示す可動パネル付のシェルターは、箱形のシェルター本体１０の外側に複数枚のパネル２００ａ〜２００ｄ、２１０ａ〜２１０ｄ、２２０ａ〜２２０ｄを備える。
例えば、シェルター本体１０の天井パネル１２の外側には、４枚の可動パネル２００ａ，２００ｂ，２００ｃ，２００ｄが設けられる。
第１のパネル２００ａは、三角形の平面形状を有し、従述するヒンジ３００を介して天井パネル１２の縁部近傍に対して揺動自在に支持されている。
同様に、第２のパネル２００ｂ、第３のパネル２００ｃ、第４のパネル２００ｄもヒンジを介して天井パネルの縁部に対して、揺動自在に支持されている。
【００１２】
図１の（Ｂ）は、従述する駆動装置によって、４枚のパネル２００ａ，２００ｂ，２００ｃ，２００ｄが所定の角度で展開した状態を示している。
シェルター本体の側壁パネル１４の外側にも、４枚の可動パネル２１０ａ，２１０ｂ，２１０ｃ，２１０ｄが配設される。これらのパネルもヒンジ３００を介して側壁パネル１４の縁部近傍に揺動可能に取り付けられる。
【００１３】
図１の（Ｃ）は、側壁パネルに取り付けた可動パネル２１０ａ，２１０ｂ，２１０ｃ，２１０ｄを畳んで閉じた状態を示す。
シェルター本体１０の前面パネル１６の必要個所にも同様の可動パネル２２０ａ，２２０ｂ，２２０ｃ，２２０ｄを備える。
【００１４】
図２は可動パネルの断面構造を示す。
符号２００で代表される可動パネルは、アラミッド繊維でつくられたハニカム構造を有する芯部材２０２の両面を高強度の炭素繊維層２０４で積層した構造を有する。表面の炭素繊維層の上面は、高電気抵抗値炭素繊維層２０６で覆われる。この高電気抵抗値炭素繊維層２０６は、レーダー電波の波長を基準としてその１／４波長に切断した炭素繊維を積層したものであって、炭素繊維の１本毎のアンテナ効果を持たせるために、炭素繊維を樹脂に含浸させて隣接する炭素繊維の間を絶縁する構造にしてある。
【００１５】
この炭素繊維は、レーダー電波を吸収するため、例えば、２×（１／１０3）Ω・cm程度の大きな体積電気抵抗値を有する活性炭素繊維を選定している。
パネル表面の第１層２０８は、フェライト粒子を塗布し、樹脂でコーティングした層に形成してある。
パネル２００の端部２００Ｅは曲面に形成してあり、レーダー電波の反射を小さくする形状にしてある。
【００１６】
図３は、本発明のシェルター１００のレーダー電波の反射の状態を示す説明図である。
符号２００で代表される可動パネルが展開すると、飛来するレーダーの電波Ｒ1は、その一部が可動パネルで吸収するとともに、反射はＲ2は展開されたパネルの角度により、四方へ飛散してしまう。
そこで、この可動パネルを常時揺動させることによって、レーダー電波Ｒ1は、不特定な向きに乱反射されてしまい、シェルターの存在を検知することができない。
【００１７】
図４は、可動パネルの駆動装置を示す説明図である。
可動パネル２００は、ヒンジ３００によって支持され、シェルター本体１０の外壁面に揺動自在に装備される。
モータ等のアクチュエータにより駆動されるシャフト３１０は、クランクピン３２２を有し、リンクアーム３２０の一端部を揺動自在に支持する。リンクアーム３２０の他端部は、ピン３２４によって可動パネル２００の裏面に連結される。
そこで、シャフト３１０を矢印Ａ方向に回動すると、可動パネル２００は、矢印Ｂ方向に傾動し、実線で示す姿勢と、二点鎖線で示す姿勢の間で、連続的に展開角度が変化する。
【００１８】
シェルター１０の外側に取り付けられた可動パネルの全てを、この揺動装置に連結し、互いにランダムなタイミングで揺動させると、飛来するレーダー電波はランダムな方向に反射され、散乱してしまう。
したがって、レーダーのアンテナから発信された電波の反射波は、レーダーのアンテナに戻らず、シェルターの存在は秘匿される。
【００１９】
【発明の効果】
本発明は以上のように、固定された建造物である箱形のシェルター本体の外側を多数の可動パネルで覆い、この可動パネルを揺動させる構成としたので、飛来するレーダー電波等は、この可動パネルにより反射され、拡散されてしまう。したがって、シェルターの存在はレーダーにより検知されない。
あるいは、ミサイルのホーミング電波の反射を混乱させて照準を不可能とし、攻撃を回避する可能性も高い。
可動パネルは電波を吸収、反射する機能を備え、アクチュエータにより任意に展開、収容される。このパネルの展開、収容のタイミングを各パネル毎に位相を変えたり、速度を変えることによって、秘匿性をより向上することができる。
【図面の簡単な説明】
【図１】本発明のシェルターの説明図。
【図２】可動パネルの構造を示す断面図。
【図３】可動パネルによるレーダー電波の反射の説明図。
【図４】可動パネルの駆動装置の説明図。
【図５】局地無線端局装置とシェルターの概要を示す説明図。
【符号の説明】
１０  シェルター
１００  秘匿性シェルター
２００  可動パネル
３００  ヒンジ
３１０  シャフト
３２０  クランクアーム
【図１】
0003914295.tif 000002
【図２】
0003914295.tif 000003
【図３】
0003914295.tif 000004
【図４】
0003914295.tif 000005
【図５】
0003914295.tif 000006